(57)【要約】【課題】  携帯電話を落とした場合のリスク低減を図ること。【解決手段】  紛失した携帯電話の操作部に入力がない場合、操作部パスワード入力待ち状態とする。登録された呼び出し番号からの着信を検出した場合は通信接続し、登録ユーザＩＤの入力を要求するメッセージを送信し、入力されたユーザＩＤが登録ユーザＩＤの場合、発信元にパスワードの入力を要求するメッセージを送信する。正しいパスワードが入力された場合、紛失中状態を解除して操作部操作可能状態へ移行し、通信接続を切断する。【選択図】  図１
2006129329.tif 000002
【特許請求の範囲】
【請求項１】
ネットワークを介して情報サーバと通信を行う携帯電話を有する携帯電話システムにおいて、
前記携帯電話は、データの入力操作を行う操作部と、インターネットへ接続する接続手段と、外部電話機から発信されるユーザＩＤとパスワードを受信する受信手段と、外部からの着信を監視する着信監視手段と、当該着信があった場合、あらかじめ登録されている呼び出し番号からの着信である否かを判定する判定手段を有し、
前記操作部に入力がなかった場合、前記操作部をパスワード入力待ち状態とし、着信監視手段が前記登録された呼出し番号以外からの着信を検出した場合は通信接続せず、前記登録された呼び出し番号からの着信を検出した場合は通信接続し、
発信元に対して登録ユーザＩＤの入力要求メッセージを送信し、入力されたユーザＩＤが未登録ユーザＩＤの場合、入力ミスメッセージを送信し、通信接続を切断し、
前記入力されたユーザＩＤが登録ユーザＩＤの場合、発信元にパスワード入力要求メッセージを送信し、
入力されたパスワードが不正パスワードの場合はパスワード入力ミスメッセージを送信し、通信接続を切断し、正しいパスワードが入力された場合、紛失中状態を解除して操作可能状態へ移行し、通信接続を切断する
ことを特徴とする携帯電話システム。
【請求項２】
前記携帯電話は、ＧＰＳ衛星から送信される信号と前記情報サーバ内の地図情報データベースを基に自己位置を計算する手段と、計算した自己位置を前記情報サーバへ送信する手段を備えていることを特徴とする請求項１記載の携帯電話システム。
【請求項３】
前記携帯電話は、
携帯電話内のユーザデータの圧縮ファイルを作成する手段と、
前記圧縮ファイルを暗号化する手段を有し、
前記紛失中状態へ遷移した場合において、携帯電話が通信可能圏内か否かの監視を行う手段を有し、
通信可能圏内にいる場合もしくは通信可能圏内に入った場合に、前記接続手段は前記情報サーバとの接続を確立し、前記圧縮ファイルが前記情報サーバへ送信され、
前記圧縮ファイルが前記情報サーバ内のデータ格納用ディスクに保存し、送信済の圧縮データを削除する
ことを特徴とする請求項１又は２記載の携帯電話システム。
【請求項４】
前記操作部がパスワード入力待ち状態であるとき、前記携帯電話の表示部に紛失表示がなされることを特徴とする請求項１〜３のいずれかに記載の携帯電話システム。
【請求項５】
紛失した携帯電話の操作部に入力がない場合、操作部パスワード入力待ち状態とするステップと、
外部から紛失した携帯電話への着信を監視するステップと、
前記紛失した携帯電話から着信があった場合、あらかじめ登録されている呼び出し番号からの着信である否かを判定するステップと、
登録された呼び出し番号以外からの着信を検出した場合は通信接続せず、前記着信監視ステップを実行し、登録された呼び出し番号からの着信を検出した場合は通信接続するステップと、
通信接続後、発信元に対して登録ユーザＩＤの入力を要求するメッセージを送信するステップと、
入力されたユーザＩＤが未登録ユーザＩＤの場合、入力ミスメッセージを送信した後、通信接続を切断し、前記入力されたユーザＩＤが登録ユーザＩＤの場合、発信元にパスワードの入力を要求するメッセージを送信するステップと、
入力されたパスワードが不正パスワードの場合、パスワード入力ミスメッセージを送信した後、通信接続を切断し、正しいパスワードが入力された場合、紛失中状態を解除して操作部操作可能状態へ移行し、通信接続を切断するステップ
を有することを特徴とする携帯電話の不正使用防止方法。
【請求項６】
所定時間携帯電話操作がなかった場合、パスワード入力待ち状態におくステップを有することを特徴とする請求項５記載の携帯電話の不正使用防止方法。
【請求項７】
ＧＰＳ衛星から送信される信号と地図情報データベースを基に自己位置を計算するステップと、
計算した自己位置を情報サーバへ送信するステップを有することを特徴とする請求項６記載の携帯電話の不正使用防止方法。
【請求項８】
携帯電話内のユーザデータの圧縮ファイルを作成するステップと、
前記圧縮ファイルを暗号化するステップと、
前記紛失中状態へ遷移した場合において、携帯電話が通信可能圏内か否かの監視を行うステップと、
通信可能圏内にいる場合もしくは通信可能圏内に入った場合に、前記接続手段は前記情報サーバとの接続を確立し、前記圧縮ファイルを前記情報サーバへ送信するステップと、
前記圧縮ファイルを前記情報サーバ内のデータ格納用ディスクに保存し、送信済の圧縮データを削除するステップ
有することを特徴とする請求項７記載の携帯電話の不正使用防止方法。
【請求項９】
前記操作部がパスワード入力待ち状態であるとき、前記携帯電話の表示画面に紛失表示を行うステップを有することを特徴とする請求項１〜３のいずれかに記載の携帯電話システム。
【発明の詳細な説明】
【技術分野】
【０００１】
本発明は、携帯電話システムに関し、特に携帯電話を盗難、紛失した時に不正使用防止を防止すると共に携帯電話捜索の手がかりをつかむことができる携帯電話システム及び携帯電話の不正使用防止方法に関する。
【背景技術】
【０００２】
携帯電話の多種多様化に伴い、メモリには多くの重要な個人情報（電話帳、クレジットカード情報、社員証情報、電車の定期の情報等）が保存されており、紛失した場合のリスクは高くなる一方である。また、拾われた携帯電話を悪用され、見に覚えのない高額な請求を受けるといった問題も多発している。一般的には早急に電話会社に連絡して回線の利用停止の手続きを行っているが、他にも携帯電話の操作部をロック状態にするという方法もよく知られている。参考として以下の特許文献１を挙げたので参考にされたい。
【０００３】
【特許文献１】特開２００３−１４３６４９号公報
【発明の開示】
【発明が解決しようとする課題】
【０００４】
しかしながら、上記のようなロック状態のままでは善意の第三者に拾われた場合でも通知手段がなく、結局警察へ届け出ることになり、手続き上の負担等面倒である。また紛失した携帯電話を見つける手がかりを得ることもできない。
【０００５】
そこで本願発明の目的は、（ａ）携帯電話を落とした場合のリスク低減を図り、（ｂ）落とした個人データの回収を図り、（ｃ）紛失した携帯電話を見つける手がかりを得ることができる携帯電話システム及び携帯電話の不正使用防止方法を提供することにある。
【課題を解決するための手段】
【０００６】
上記課題を解決するために、本発明は、以下の特徴を有する課題を解決するための手段を採用している。
【０００７】
請求項１に記載された発明は、ネットワークを介して情報サーバと通信を行う携帯電話を有する携帯電話システムにおいて、前記携帯電話は、データの入力操作を行う操作部と、インターネットへ接続する接続手段と、外部電話機から発信されるユーザＩＤとパスワードを受信する受信手段と、外部からの着信を監視する着信監視手段と、当該着信があった場合、あらかじめ登録されている呼び出し番号からの着信である否かを判定する判定手段を有し、前記操作部に入力がなかった場合、前記操作部をパスワード入力待ち状態とし、着信監視手段が前記登録された呼出し番号以外からの着信を検出した場合は通信接続せず、前記登録された呼び出し番号からの着信を検出した場合は通信接続し、発信元に対して登録ユーザＩＤの入力要求メッセージを送信し、入力されたユーザＩＤが未登録ユーザＩＤの場合、入力ミスメッセージを送信し、通信接続を切断し、前記入力されたユーザＩＤが登録ユーザＩＤの場合、発信元にパスワード入力要求メッセージを送信し、入力されたパスワードが不正パスワードの場合はパスワード入力ミスメッセージを送信し、通信接続を切断し、正しいパスワードが入力された場合、紛失中状態を解除して操作可能状態へ移行し、通信接続を切断することを特徴とする。
【０００８】
請求項５に記載された発明は、紛失した携帯電話の操作部に入力がない場合、操作部パスワード入力待ち状態とするステップと、外部から紛失した携帯電話への着信を監視するステップと、前記紛失した携帯電話から着信があった場合、あらかじめ登録されている呼び出し番号からの着信である否かを判定するステップと、登録された呼び出し番号以外からの着信を検出した場合は通信接続せず、前記着信監視ステップを実行し、登録された呼び出し番号からの着信を検出した場合は通信接続するステップと、通信接続後、発信元に対して登録ユーザＩＤの入力を要求するメッセージを送信するステップと、入力されたユーザＩＤが未登録ユーザＩＤの場合、入力ミスメッセージを送信した後、通信接続を切断し、前記入力されたユーザＩＤが登録ユーザＩＤの場合、発信元にパスワードの入力を要求するメッセージを送信するステップと、入力されたパスワードが不正パスワードの場合、パスワード入力ミスメッセージを送信した後、通信接続を切断し、正しいパスワードが入力された場合、紛失中状態を解除して操作部操作可能状態へ移行し、通信接続を切断するステップを有することを特徴とする。
【発明の効果】
【０００９】
本発明によれば、携帯電話が自動的に紛失状態であると認識し、一時的に操作できる機能を制限するためである。また自動的に紛失と判断する条件、および制限を解除できる条件は、ユーザが任意に設定できるため、紛失した携帯電話の第三者による悪用を防ぐことができる。
【００１０】
又、本発明によれば、携帯電話で常に圏内/圏外を監視し、圏内の場合には自動的にバックアップ用サーバにユーザデータを保存する機能を有するので、圏内にある携帯電話から重要なユーザデータを吸い出すことが簡単にできる。
【００１１】
又、本発明によれば、ＧＰＳを使用することで携帯電話の自己位置をサーバへ自動的に送信する機能を有するため、携帯電話を落とした場所をある程度推測できる。
【００１２】
又、本発明によれば、携帯電話が紛失中状態になった場合、待受け画面の変わりに紛失中画面を表示させ、可能な操作を１ボタンの押下のみで行うよう制限したため、携帯電話を拾った人が簡単に所有者へ連絡できる。
【発明を実施するための最良の形態】
【００１３】
本発明は、携帯電話を紛失してしまった場合において、（１）第三者の悪用を防止する対策として、携帯電話が自動的に紛失を判断して操作にロックをかける機能、（２）携帯電話の発見者から、簡単に且つ安全に所有者へ連絡できる機能、
(３)携帯電話が発見されなかった場合の対策として、外部のサーバにユーザデータを自動的にアップロードする機能を有する携帯電話システムである。
【００１４】
以下、図１を参照して本発明の一実施の形態について説明する。携帯電話には、紛失時の悪用を防止する対策として、「使用可能状態」と「パスワード入力待ち状態」と「紛失中状態」の３つの異なるモードを設けている。全ての操作が可能な「使用可能状態」において、数分間の操作がなかった場合、自動的に「パスワード入力待ち状態」に移行する（ステップＳ１）。
【００１５】
「パスワード入力待ち状態」では、図２（a）のような待ち受け画面を表示し、ユーザＩＤとパスワードを入力する以外の操作は不可能となる。「パスワード入力待ち状態」から「使用可能状態」に戻るためには正しいユーザＩＤとパスワードを入力する必要がある(ステップＳ２)。ここで数回のパスワードの入力ミスがあった場合、携帯電話の所有者による操作ではなく、第三者による操作であると判断し、「紛失中状態」に移行する（ステップＳ５）。また事前に指定した無操作時間が経過した場合にも「紛失中状態」に移行する（ステップＳ４）。「紛失中状態」では図２（ｂ）のような画面を表示し、発見者が発信ボタンを押下するだけで所有者に電話ができるようになっている。また悪用防止のために所有者への電話発信以外の操作は不可能となっている。
【００１６】
「紛失中状態」の解除は安全性を考慮して、携帯電話に事前登録した特定の電話番号のみから受け付ける。特定の電話番号から着信を受け、ユーザＩＤ、パスワードの確認により「使用中状態」への移行を行う（ステップＳ６）。
【００１７】
上記で説明した無操作時間、パスワードの誤り回数、および特定電話番号は、ユーザが予め携帯電話に登録しておく(携帯電話の内部では図３のようなテーブルで管理する)。図３の例では通常の待ち受け画面（使用可能状態）からパスワード入力画面（パスワード入力待ち状態）へ移行するまでの無操作時間を２分、パスワード入力画面（パスワード入力待ち状態）から紛失中画面（紛失中状態）へ移行するまでの無操作時間を９０分としている。また紛失中状態から使用可能状態へ戻すことができる特定電話番号を２つ登録しており、０３−１２３４−４３２１と０９０−５６７８−８７６５としている。この電話番号は紛失中状態で発信ボタンを押下することで繋がる電話番号も兼ねており、１つ目の番号(０３−１２３４−４３２１)に繋がらなかったとき、次の番号(０９０−５６７８−８７６５)に繋ぎに行く。図３のパスワード誤り回数の設定では、３回以上パスワード入力を間違えると紛失中状態へ遷移することを示している。
【００１８】
また携帯電話が発見されなかった場合の対策として、携帯電話が通信可能圏内にある場合、もしくは通信可能圏内に入った瞬間にユーザデータを指定のサーバに送信するバックアップ機能と、ＧＰＳ衛星を使用して自己位置を計算し、計算した自己位置を指定のサーバに送信する機能を有する。
【実施例１】
【００１９】
図４を参照して本発明の実施例を説明する。
【００２０】
本発明の実施例は、携帯電話1、電話網２、指定の電話機３、インターネット４、情報サーバ５、ＧＰＳ衛星６より構成される。情報サーバ５は、データ格納用ディスク５−１と地図情報ＤＢ５−２から構成される。
【００２１】
携帯電話１は、外部の電話機から電話網２（プッシュ回線）を使用して発信されるユーザＩＤ情報とパスワード情報を受信できる手段と、通信事業者のサーバを経由してインターネット４へ接続する手段を備えている。また携帯機内部のユーザデータをＳＳＨ等のプロトコルにより暗号化して情報サーバ５へ送信する手段と、ＧＰＳ衛星６から送信される信号と地図情報ＤＢ５−２内のデータを基に自己位置を計算する手段と、計算した自己位置を情報サーバ５へ送信する手段を備えている。
【００２２】
指定の電話機３とは、携帯電話１の特殊なモード（紛失中状態）を解除できる電話番号を持つ電話機である。併せてこの電話番号は紛失した携帯電話の所有者への連絡先となる。指定の電話機３の電話番号は、事前にユーザにより携帯電話１に登録されている。情報サーバ５は携帯電話１から送信されるユーザデータをデータ格納用ディスク５−１へ保存する手段と、地図情報ＤＢ５−２を管理する手段を備えている。
【００２３】
以下、本発明に係る携帯端末システムの動作について説明する。図５を参照して「紛失中状態」から「操作可能状態」へ復帰する際の動作を説明する。携帯電話１は外部からの着信を監視し（ステップＡ１）、着信があった場合は図３に登録されている特定電話番号からの着信であるかをチェックする（ステップＡ２）。指定された電話からの着信でなかった場合は接続せずに着信の監視状態へ戻る。指定された番号からの着信であった場合は、接続し（ステップＡ３）、発信元にユーザＩＤの入力を要求するメッセージを流して（ステップＡ４）、ユーザＩＤの入力を受け付ける。入力されたユーザＩＤの確認を行い（ステップＡ５）、存在しないユーザＩＤの場合はユーザＩＤの入力ミスのメッセージを流し（ステップＡ７）、切断する（ステップＡ１１）。正しいユーザＩＤの場合は、発信元にパスワードの入力を要求するメッセージを流し（ステップＡ６）、パスワードの入力を受け付ける。入力されたパスワードの確認を行い、不正なパスワードの場合はパスワードの入力ミスのメッセージを流し（ステップＡ９）、切断する（ステップＡ１１）。正しいパスワードが入力された場合は、「紛失中状態」から「操作可能状態」へ移行し（ステップＡ１０）、接続を切断する(ステップＡ１１)。
【００２４】
次に図６を参照して、携帯電話内のユーザデータと自己位置を情報サーバ５へ送信する際の動作を説明する。携帯電話が「紛失中状態」へ遷移した時点で、携帯電話内のユーザデータの圧縮ファイルを作成する（ステップＢ１）。圧縮ファイルは情報サーバ５へ送信されるため暗号化する。その後、圏内にいるかどうかの監視を行い（ステップＢ２）、圏内にいる場合もしくは圏内に入った場合は、インターネット４経由で情報サーバ５へ接続する（ステップＢ３）。接続の確立後、圧縮したユーザデータを情報サーバ５へ送信し（ステップＢ４）、携帯電話から圧縮ファイルを受け取った情報サーバ５はデータ格納用ディスク５−１に保存する。続いて、ステップＢ５においてＧＰＳ衛星６と情報サーバ５の地図情報ＤＢ５−２を使用して自己位置を計算し（ステップＢ５）、自己位置を情報サーバ５へ送信する（ステップＢ６）。自己位置を受信した情報サーバ５はデータ格納用ディスク５−１への保存を行う。最後にステップＢ７にて送信済の圧縮データを削除して（ステップＢ７）処理を終了する。
【００２５】
次に、本発明の他の実施例について説明する。上記では、指定の電話機３からの操作は「紛失中状態」から「使用可能状態」への復帰のみであった。指定の電話機３から紛失した携帯電話１に対して操作できる項目を増やすことを考える。所有者が紛失に気が付いた時点で、指定の電話機３から電話をかけ、紛失した携帯電話１から情報サーバ５にユーザデータの送信を行わせる機能が考えられる。これにより携帯電話が自動で紛失状態と判断するまでの間の操作可能状態を縮められる可能性がある。ユーザＩＤとパスワードの組み合わせを用途毎に用意しておき、ユーザＩＤによって携帯電話１内で動作する機能を事前に割り付けておくことで実現する。
【図面の簡単な説明】
【００２６】
【図１】本システムに使用される携帯電話の３つのモードの遷移を示す図である。
【図２】前記モードにおける携帯電話の表示画面を示した図である。
【図３】前記各モードに遷移するための条件設定テーブルを示した図である。
【図４】本発明に係る携帯電話システムの一実施の形態を示した図である。
【図５】「紛失中状態」から「操作可能状態」へ復帰する際の動作を説明するためのフローチャートである。
【図６】ユーザデータと自己位置を情報サーバへ送信する際の動作を説明するためのフローチャートである。
【符号の説明】
【００２７】
１    携帯電話
２    電話網
３    指定の電話機
４    インターネット
５    情報サーバ
５−１    データ格納用ディスク
５−２    地図情報ＤＢ
６    ＧＰＳ衛星
【図１】
2006129329.tif 000003
【図２】
2006129329.tif 000004
【図３】
2006129329.tif 000005
【図４】
2006129329.tif 000006
【図５】
2006129329.tif 000007
【図６】
2006129329.tif 000008